(57)【要約】      （修正有）【課題】冷気の循環が良好に行え、使い勝手がよい冷蔵庫を提供する。【解決手段】内部を少なくとも二つの空間１０１Ａ、１０１Ｂに仕切られる収納容器１０１を有する貯蔵室を備える冷蔵庫１において、収納容器１０１を前後方向に二つの空間１０１Ａ、１０１Ｂに仕切りつつ通風孔を有する樹脂製の仕切り部材１１０を備え、仕切り部材１１０は、奥側から手前下方に延びる第１板部１１５ａと、手前側から奥下方に延びる第２板部１１５ｂとを有し、第１板部１１５ａと第２板部１１５ｂとが、鉛直方向に繰り返し形成されている。【選択図】図５
2018004085.tif 000002
【特許請求の範囲】
【請求項１】
内部を少なくとも二つの空間に仕切られる収納容器を有する貯蔵室を備えた冷蔵庫において、
前記収納容器を前後方向に前記二つの空間に仕切りつつ通風孔を有する樹脂製の仕切り部材を備え、
前記仕切り部材は、奥側から手前下方に延びる第１板部と、手前側から奥下方に延びる第２板部とを有し、前記第１板部と前記第２板部とが、鉛直方向に繰り返し形成されている
ことを特徴とする冷蔵庫。
【請求項２】
請求項１に記載の冷蔵庫において、
前記第１板部と前記
前記通風孔は、前記第２板部に形成されている
ことを特徴とする冷蔵庫。
【請求項３】
請求項１又は２に記載の冷蔵庫において、
前記通風孔は、前記仕切り部材の左右の側部に形成されている
ことを特徴とする冷蔵庫。
【発明の詳細な説明】
【技術分野】
【０００１】
本発明は、冷蔵庫に関する。
【背景技術】
【０００２】
従来、冷蔵庫の野菜室には、下段収納容器と該下段収納容器に載せられる上段収納容器とが野菜室扉に取り付けられ収納されている。
【０００３】
使用者が野菜室に野菜や果物を出し入れする際には、野菜室扉を手前に引き出し、上段収納容器と下段収納容器とを庫外に引き出して、上段・下段収納容器に対して野菜や果物の出し入れを行う。
【０００４】
野菜室の下段収納容器は、野菜室仕切りによって、ペットボトル、葉物野菜等を入れる前方収納空間と、キャベツ、レタス等の大きな野菜等を入れる後方収納空間とに仕切られている。
【０００５】
野菜室仕切りに関しては、特許文献１に記載がある。
【０００６】
特許文献１の段落００７３、００７４には、
「………。野菜室仕切り７４は、図１２ないし図１３に示すように、一例として四辺形をなしたガラス板７４ａの周囲に樹脂製の仕切り枠７４ｂを一体として組み合わせた構成である。ガラス板７４ａは透明なので、野菜室６を開いた際には野菜室仕切り７４を通して下段収納容器６ｂに収納された食品を目視することが可能であり、食品の収納量や状態を確認することが容易なので好適である。
［００７４］
野菜室仕切り７４の下部に沿って凹部である受け溝７４ｃが設けられており、下段収納容器６ｂの受け溝７４ｃに対応した位置には上向きの突起である底面凸部７７が設けられている。底面凸部７７と受け溝７４ｃは野菜室仕切り７４を下段収納容器６ｂに設置した際の位置決めとなる効果がある。また、受け溝７４ｃと底面凸部７７は互いに嵌合して入り組んだ、所謂ラビリンス構造となるので、前部収納スペース６ｂ１と後部収納スペース６ｂ２との間の気体の移動を妨げる、という効果がある。」との記載がある。
【先行技術文献】
【特許文献】
【０００７】
【特許文献１】特開２０１５−２０６４６８号公報（段落００７３〜００８８、図７、図１２〜図１３等）
【発明の概要】
【発明が解決しようとする課題】
【０００８】
ところで、特許文献１の野菜室は、下段収納容器の後方収納空間を密閉空間にして野菜室の鮮度を保つ考え方をとっている。しかしながら、野菜室全体を密閉空間とする考え方で、冷蔵庫を製作する場合、下記の不都合が発生する。
【０００９】
野菜室では冷気が下段収納容器の後方から供給される構成であることから、野菜室仕切りがガラス板の場合、通風ができず、後方収納空間が密閉空間となる。そのため、下段収納容器の後方収納空間から前方収納空間に冷気が行き渡らず、前方収納空間の温度が上昇する。前方収納空間の温度が高いと、前方収納空間に入れた野菜が乾燥し易くなる。
【００１０】
また、野菜室仕切りがガラス板の場合、後方収納空間が密閉空間となるため、冷気の下段収納容器の後方収納空間と前方収納空間の冷気の循環ができない。冷気の循環ができないと、野菜室内で温度が低い所と温度が高い所ができ、食品の貯蔵が良好に行えない。また、野菜のエチレンガスを分解する触媒を野菜室で用いた場合、触媒を含んだ空気を野菜室全体に行き渡らせることが困難となる。
【００１１】
さらに、野菜室仕切りがガラス板の場合、重さが重く、コストが高い。冷蔵庫が重いと、車両の積み下ろしの他、２階以上や高層階に冷蔵庫を運搬する場合に障害となる。
【００１２】
本発明は上記実状に鑑み創案されたものであり、冷気の循環が良好に行え、使い勝手がよい冷蔵庫の提供を目的とする。
【課題を解決するための手段】
【００１３】
前記課題を解決するため、本発明の冷蔵庫は、内部を少なくとも二つの空間に仕切られる収納容器を有する貯蔵室を備えた冷蔵庫において、前記収納容器を前後方向に前記二つの空間に仕切りつつ通風孔を有する樹脂製の仕切り部材を備え、前記仕切り部材は、奥側から手前下方に延びる第１板部と、手前側から奥下方に延びる第２板部とを有し、前記第１板部と前記第２板部とが、鉛直方向に繰り返し形成されている。
【発明の効果】
【００１４】
本発明によれば、冷気の循環が良好に行え、使い勝手がよい冷蔵庫を提供することができる。
【図面の簡単な説明】
【００１５】
【図１】本実施形態の冷蔵庫１の正面図。
【図２】冷蔵庫の野菜室に収納される上段容器が取り付けられた下段容器を斜め手前上方から見た斜視図。
【図３】冷蔵庫内において、野菜容器が配置された野菜室の斜視図。
【図４】図３のＡ−Ａ断面の斜視図。
【図５】図３のＡ−Ａ断面図。
【図６】上段容器の正面側からの斜視図。
【図７】上段容器の背面側からの斜視図。
【図８】上段容器の下側からの斜視図。
【図９】（ａ）は仕切りを前方から見た図、（ｂ）は仕切りを上方から見た図、（ｃ）は（ａ）のＢ方向矢視図、（ｄ）は（ａ）のＣ−Ｃ断面図。
【図１０】図９（ａ）のＤ−Ｄ断面拡大図。
【図１１】仕切りを斜め右上前方から見た斜視図。
【図１２】仕切りを斜め後方から見た斜視図。
【発明を実施するための形態】
【００１６】
以下、本発明の実施形態について、適宜図面を参照しながら詳細に説明する。
【００１７】
図１は、本発明に係る実施形態の冷蔵庫１の正面図である。
【００１８】
冷蔵庫１は、冷蔵庫本体１Ｈと、冷蔵庫本体１Ｈの手前の開口を開閉する扉（２、３、４ａ、４ｂ、５、６）とを具備している。
【００１９】
冷蔵庫本体１Ｈの手前正面に、冷蔵室左扉２、冷蔵室右扉３、製氷室扉４ａ、急速冷凍室扉４ｂ、冷凍室扉５、および野菜室扉６を備えている。冷蔵室左扉２および冷蔵室右扉３は、冷蔵庫本体１Ｈに観音開きになっている。冷蔵室左扉２は、上ヒンジ７ａと下ヒンジ８ａにより、手前方向（図１の紙面手前側）に回動可能になっている。同様に、冷蔵室右扉３は、上ヒンジ７ｂと下ヒンジ８ｂにより、手前方向（図１の紙面手前側）に回動可能になっている。冷蔵室左扉２および冷蔵室右扉３と冷蔵庫本体１Ｈにより形成される空間に、冷蔵室（図示せず）が形成されている。
【００２０】
また、製氷室扉４ａ、急速冷凍室扉４ｂおよび冷凍室扉５は、紙面手前方向に引き出し可能になっている。そして、扉（４ａ、４ｂ、５）と冷蔵庫本体１Ｈとにより形成される空間に、それぞれ不図示の製氷室、急速冷凍室および冷凍室が形成されている。
【００２１】
同様に、野菜室扉６も紙面手前方向に引き出し可能になっている。野菜室扉６と冷蔵庫本体１Ｈとにより構成される空間に、野菜室１００（図２参照）が形成されている。図２は、冷蔵庫１の野菜室１００に収納される上段容器１０２が取り付けられた下段容器１０１を斜め手前上方から見た斜視図である。
【００２２】
野菜室１００とは、野菜、果物、ペットボトル飲料等を貯蔵する貯蔵室である。
【００２３】
野菜室１００の背面側には、圧縮機（図示せず）等の冷凍サイクル機器を配置するための機械室（図示せず）が形成されている。そのため、野菜室１００の底壁１００ｔ（図２参照）は前部よりも後部が高く形成されている。
【００２４】
野菜室１００では、冷蔵庫本体１Ｈ（図１参照）の内壁を成す内箱１２４（図２参照）が野菜室１００の左壁面、右壁面および底壁面を構成している。そして、野菜室１００の上壁は、野菜室１００の上部に配置される野菜容器カバー１０５（図３参照）により構成されている。図３は、冷蔵庫１内において、野菜容器カバー１０５が配置された野菜室１００の斜視図である。
【００２５】
野菜室１００には、上段容器１０２が取り付けられた下段容器１０１が収納されている。
【００２６】
図２に示すように、野菜室１００では、野菜室扉６に取り付けられた下段容器１０１および上段容器１０２が、前後方向に引出自在に収容されている。上段容器１０２は、下段容器１０１の上に係合（詳細は後記）されている。
【００２７】
冷蔵庫１では、下段容器１０１が前後方向に移動しても、上段容器１０２の下段容器１０１の内部での位置は変化しない。しかし、詳細は後記するが、上段容器１０２の係合を解除することで、上段容器１０２を下段容器１０１に対して、前方にスライドさせ引き出すことができる。
【００２８】
図３に示すように、野菜室１００では、冷蔵庫本体１Ｈの内壁を成す内箱１２４（図２参照）、野菜容器カバー１０５により、下段容器１０１および上段容器１０２のそれぞれの内部の密閉性が、ある程度確保されている。
【００２９】
図４は、図３のＡ−Ａ断面の斜視図である。図５は、図３のＡ−Ａ断面図である。
【００３０】
下段容器１０１には、樹脂製の仕切り１１０が備えられている。仕切り１１０により、下段容器１０１が前方の前側空間１０１Ｂと、後方の後側下段空間１０１Ａとに分割されている。
【００３１】
そして、上段容器１０２は、下段容器１０１内部において、後側下段空間１０１Ａの上に配置される後側上段空間１０１Ｃを囲って形成する。
【００３２】
図３に示す野菜容器カバー１０５は、下段容器１０１および上段容器１０２の上部開口を覆うように、冷蔵庫本体１Ｈの内部に取付けられている。野菜容器カバー１０５は、下段容器１０１を冷蔵庫１に収容したときに、下段容器１０１の上方に配置される。
【００３３】
そのため、下段容器１０１を冷蔵庫１から完全に引き出したときには、野菜容器カバー１０５は冷蔵庫１の内部に残存し、下段容器１０１と上段容器１０２の上部開口が外部空間に開放される。
【００３４】
野菜容器カバー１０５は、光透過性を有する樹脂により構成されている。野菜容器カバー１０５の上面の正面側には、ローレット（正面側から背面側に延在する複数の溝）１０５ａが形成されている。そして、使用者が下段容器１０１および上段容器１０２を手前側に引き出して、野菜等を出し入れする際、野菜室１００の外部の上方に取り付けられたＬＥＤ照明からの光が、ローレット１０５ａを透過して、下段容器１０１および上段容器１０２の内部を照射する。
【００３５】
また、野菜容器カバー１０５の野菜室１００の内部を臨む下面には、蒸散ボードが配置されている。
【００３６】
また、野菜室１００の壁面、または、野菜室１００とその上の冷凍室との間に位置する断熱仕切壁には、冷気の吹出口が形成されている。吹出口には、野菜室１００を冷却する冷気の供給を制御する冷気供給調整手段１４１（図３参照）が設けられている。これにより、野菜室１００に吹き出された冷気が、後側下段空間１０１Ａ（図４参照）に入り込んで、後記の仕切り１１０の第１・第２開口部１１４ａ、１１４ｂおよび傾斜開口部１１５ｃ、１１５ｄを通って、正面側の前側空間１０１Ｂに抜けるようになっている。そのため、後側下段空間１０１Ａ内の湿度が過度に上昇することを防止でき、結露が防止される。
【００３７】
図４、図５に示すように、下段容器１０１の内部は、後側下段空間１０１Ａと前側空間１０１Ｂと後側上段空間１０１Ｃとの三つの空間に区画されている。
【００３８】
後側下段空間１０１Ａは、下段容器１０１の内部に配置された仕切り１１０と、上段容器１０２の下面とにより下段容器１０１を区分けして形成されている。また、前側空間１０１Ｂは、上段容器１０２の前板と仕切り１１０と野菜容器カバー１０５とにより下段容器１０１を区分けして形成されている。後側上段空間１０１Ｃは、上段容器１０２と野菜容器カバー１０５とにより下段容器１０１を区分けして形成されている。
【００３９】
図３に示すように、野菜容器カバー１０５には、下方に配置される上段容器１０２と野菜容器カバー１０５との間に形成される後側上段空間１０１Ｃの内外を連通する連通孔１０５ｃが複数形成されている。連通孔１０５ｃは、野菜室１００の背面右側（向かって左側）に形成された不図示の冷気戻り口の近傍を含み形成されている。
【００４０】
後記の図８に示すように、上段容器１０２の底面には、後側下段空間１０１Ａと後側上段空間１０１Ｃとを連通する連通孔１０２ａが形成されている。連通孔１０２ａを通して、後側下段空間１０１Ａと後側上段空間１０１Ｃとに冷気が流れ、双方の除湿や冷却が可能となる。
【００４１】
図６は、上段容器１０２の正面側からの斜視図である。上段容器１０２の正面側に配置された把持部１０６は、通常時に、上段容器１０２を下段容器１０１に対して前方に移動可能とする際、使用者が把持する。
【００４２】
把持部１０６の正面側下方には、把持部１０６の内部を介して、後側下段空間１０１Ａと前側空間１０１Ｂと後側上段空間１０１Ｃとの三つの空間同士を連通するための連通孔１０６ｃが複数の小孔として形成されている。さらに、把持部１０６の内部には、各空間内の空気と接触可能な位置に、エチレン等を分解する不図示の白金触媒が収容されている。そのため、連通孔１０６ｃを通じて把持部１０６に取り込まれた空気は、白金触媒に接触した後、各空間（１０１Ａ、１０１Ｂ、１０１Ｃ）に供給される。
【００４３】
これにより、前側空間１０１Ｂ内の空気は、後側上段空間１０１Ｃ内の野菜容器カバー１０５の下面の蒸散ボードや後側下段空間１０１Ａ内の背面側に形成された結露面１０１ａ（図４参照）に至る。そのため、前側空間１０１Ｂ内の空気の湿度の制御が可能になる。
【００４４】
図７は、上段容器１０２の背面側からの斜視図である。
【００４５】
把持部１０６の背面側の下方にも、把持部１０６の内部を介して、各空間（１０１Ａ、１０１Ｂ、１０１Ｃ）同士を連通するための連通孔１０６ｄが複数の小孔として形成されている。連通孔１０６ｃ（図６参照）と同様、連通孔１０６ｄを通じて把持部１０６に取り込まれた空気は、白金触媒に接触し、各空間に供給される。連通孔１０６ｄは、後側上段空間１０１Ｃを臨んで配置されている。
【００４６】
図８は、上段容器１０２の下側からの斜視図である。
【００４７】
上段容器１０２の前下面には、上段容器１０２の下段容器１０１内での移動を規制する係合リブ１０２ｒが外下方に突出して形成されている。係合リブ１０２ｒは、上段容器１０２の前下面から下方に突出して、左右に長い形状に形成されている。
【００４８】
図５に示すように、上段容器１０２の前下面の係合リブ１０２ｒが、仕切り１１０上部の被係合リブ１１７に係合することで、上段容器１０２が下段容器１０１内にセットされる。
【００４９】
上段容器１０２を下段容器１０１から前方に引き出す際には、使用者が把持部１０６を把持して、上段容器１０２を、上方に持ち上げて係合リブ１０２ｒと下段容器１０１内の仕切り１１０の被係合リブ１１７との係合を解除する。これにより、上段容器１０２を下段容器１０１から前方に引き出すことができる。
【００５０】
把持部１０６の下方にも、把持部１０６の内部を介して、図４に示す後側下段空間１０１Ａと、前側空間１０１Ｂと、後側上段空間１０１Ｃとの三つの空間を連通するための連通孔１０６ｅ（図８参照）が複数の小孔として形成されている。前記の連通孔１０６ｃ、１０６ｄと同様、連通孔１０６ｅを通じて把持部１０６に取り込まれた空気は、白金触媒に接触した後、各空間に供給される。連通孔１０６ｅは、後側下段空間１０１Ａを臨んで配置されている。
【００５１】
白金触媒について説明する。白金触媒は、野菜室１００の各空間（１０１Ａ、１０１Ｂ、１０１Ｃ）内の野菜等から発生して空気に含まれるエチレン、トリメチルアミンを分解する触媒である。白金触媒によってエチレン、トリメチルアミンが分解されることで、二酸化炭素と水蒸気が発生する。そして、発生した二酸化炭素は、連通孔１０６ｃ（図６参照）、連通孔１０６ｄ（図７参照）、連通孔１０６ｅ（図８参照）を介して、各空間（１０１Ａ、１０１Ｂ、１０１Ｃ）内に供給される。そのため、各空間に貯蔵された野菜の呼吸が抑制され、野菜の鮮度が長時間維持される。
【００５２】
また、野菜室１００に貯蔵された野菜等の表面に存在する水に二酸化炭素が溶解すると、野菜等の表面は酸性になる。しかし、水に溶解したときにアルカリ性を示すトリメチルアミンが発生すると、トリメチルアミンも野菜表面に存在する水に溶解するため、二酸化炭素の溶解により酸性化した野菜表面が中和されてしまう。しかし、冷蔵庫１では、白金触媒によってトリメチルアミンが分解されることで、野菜室１００に保存された野菜等の表面は酸性を維持し、野菜表面の微生物の増殖が抑制される。
【００５３】
野菜容器カバー１０５の下面には、野菜室１００の内外を連通する連通孔１０５ｃに対向して、不図示のリブが形成されている。そして、連通孔１０５ｃと不図示のリブとの間に形成された空間に蒸散ボードが挿入され、野菜容器カバー１０５の下面に蒸散ボードが保持される。このように、蒸散ボードが保持されることで、連通孔１０５ｃが閉塞される。これにより、下段容器１０１および上段容器１０２の内部の水分を含む空気が連通孔１０５ｃを通って野菜室１００の外部に排出される一方、野菜室１００の外部から連通孔１０５ｃを通って野菜室１００の内部に直接冷気が入り込むことが抑制される。
【００５４】
また、後側上段空間１０１Ｃの内部の空気が野菜容器カバー１０５に接触すると、含まれる水分が野菜容器カバー１０５に結露して結露水が発生する可能性がある。しかし、発生した結露水は、上段容器１０２の上方の全域にわたって配置された蒸散ボードによって吸湿される。そのため、後側上段空間１０Ｃへの結露水の落下が抑制される。
【００５５】
＜野菜室１００の仕切り１１０＞
下段容器１０１の前側空間１０１Ｂと後側下段空間１０１Ａとを仕切る仕切り１１０は、ポリスチレン（polystyrene）等の樹脂で形成される。仕切り１１０は、後側下段空間１０１Ａの内部を目視できるように透明または半透明で形成されている。
【００５６】
図９（ａ）は、仕切り１１０を前方から見た図であり、図９（ｂ）は、仕切り１１０を上方から見た図であり、図９（ｃ）は、図９（ａ）のＢ方向矢視図であり、図９（ｄ）は、図９（ａ）のＣ−Ｃ断面図である。
【００５７】
図１０は、図９（ａ）のＤ−Ｄ断面拡大図である。図１１は、仕切り１１０を斜め右上前方から見た斜視図である。図１２は、仕切り１１０を斜め上後方から見た斜視図である。
【００５８】
仕切り１１０は、左右方向に細長く延在する略長方形状の板状の部材である。
【００５９】
仕切り１１０は、上端部に袋状部１１１が左右方向に形成されている。
【００６０】
＜袋状部１１１＞
図１０に示すように、袋状部１１１は、奥側に凸状に突出した形状を有し、左右方向に延在して形成されている（図９（ａ）参照）。換言すれば、袋状部１１１は、横断面が略Ｃ字状に奥側に肉をもつ形状に形成されている。或いは、袋状部１１１は、横断面が略Ｃ字状に奥側を覆う形状を有して形成されている。
【００６１】
図９（ａ）、図９（ｂ）に示すように、袋状部１１１の上面中央には、左右方向に被係合リブ１１７が上方に突出して形成されている。袋状部１１１の被係合リブ１１７は、下段容器１０１に配置される上段容器１０２の前後方向への移動を規制するものである。
【００６２】
図５に示すように、被係合リブ１１７には、上段容器１０２の前下面の係合リブ１０２ｒ（図８参照）が係合され、下段容器１０１に配置された上段容器１０２の前後への移動を規制する。
【００６３】
図９（ｂ）、図９（ｄ）に示すように、袋状部１１１の上面中央には、水滴集水部１１２が、中央部が凹んだ形状に、後側下段空間１０１Ａを臨んで形成されている。水滴集水部１１２は、左右側部から中央にいくに従って奥側の領域が大きくなる（図９（ｂ）参照）とともに、下方に位置する形状に形成されている（図９（ｄ）参照）。
【００６４】
また、水滴集水部１１２は、図９（ｂ）、図９（ｄ）に示すように、端側にいくほど前後方向の幅が狭く、高さが高く形成されている一方、中央側にいくほど前後方向の幅が広く、高さが低く形成されている。
【００６５】
水滴集水部１１２は、前後方向に、手前側より奥側の高さが低く形成されている。つまり、水滴集水部１１２は、前側空間１０１Ｂ側よりも、後側下段空間１０１Ａの方が低く形成されている。
【００６６】
図９（ｂ）に示すように、袋状部１１１の上面には、水滴集水部１１２を除いた領域に、端側に行くほど前後方向に広がるほぼ平坦な平面形状の平坦部１１３が形成されている。
【００６７】
平坦部１１３は、水滴集水部１１２に前後方向に隣接して、袋状部１１１の端側に行くほど、手前側の領域が前後方向に広がるほぼ平坦な水平面形状の中央平坦部１１３ａを有している。
【００６８】
また、平坦部１１３は、水滴集水部１１２に前後方向に隣接せず、袋状部１１１の上面端側に位置するほぼ平坦な水平面形状の端側平坦部１１３ｂを有する。
【００６９】
水滴集水部１１２は、袋状部１１１の上部において、端部より中央側で低く、また、手前側より奥側で低く形成されている。そのため、水滴集水部１１２において水滴が中央側に集められ、奥側の後側下段空間１０１Ａ内に結露水を流すことができる。
【００７０】
図１２、図１０に示すように、袋状部１１１の左右方向の中央部を除いて、奥側（後方側）から手前下方に向けて延在する傾斜板部１１１ａに第１開口部１１４ａが、最奥側（最後方）の後端面１１１ｋより手前下方に開口されている。
【００７１】
同様に、図９（ａ）、図１２に示すように、袋状部１１１の左右方向の中央部を除いて、奥側から手前下方に向けて延在する傾斜板部１１１ａに、第２開口部１１４ｂが最奥側の後端面１１１ｋより手前下方に開口されている。
【００７２】
第１開口部１１４ａ、第２開口部１１４ｂはそれぞれ左右方向に長く開口されている。第１開口部１１４ａと第２開口部１１４ｂとは、袋状部１１１の最奥側の後端面１１１ｋよりも下方手前側に開口されている。
【００７３】
上記構成により、袋状部１１１が使用者に上方から把持された際、第１開口部１１４ａと第２開口部１１４ｂとが中央側を除いた領域にあるため、使用者の手指が入ることが回避される。
【００７４】
＜波状部１１５＞
一方、仕切り１１０の上部の袋状部１１１の下方には、波状部１１５が形成されている。
【００７５】
図１０に示すように、波状部１１５は、後方から前方に向かって下方に傾斜する前傾斜部１１５ａと、前傾斜部１１５ａの下端に接続され前方から後方に向かって下方に傾斜する後傾斜部１１５ｂとを有している。
【００７６】
そして、波状部１１５は、後傾斜部１１５ｂの下端に接続され後方から前下方に向かって傾斜する前傾斜部１１５ａと、前傾斜部１１５ａの下端に接続され前方から後下方に向かって傾斜する後傾斜部１１５ｂとが、鉛直方向に繰り返され形成されている。
【００７７】
図１２に示すように、前方から後下方に向かって傾斜する後傾斜部１１５ｂには、左右方向に延びる傾斜開口部１１５ｃ、１１５ｄが開口されている。
【００７８】
図１０に示すように、前傾斜部１１５ａの長さｓ１は後傾斜部１１５ｂの長さｓ２よりも長く形成されている。そして、前傾斜部１１５ａの鉛直方向に対する傾斜角度θ１は、後傾斜部１１５ｂの鉛直方向に対する傾斜角度θ２よりも小さく設定されている。
【００７９】
前傾斜部１１５ａは、後傾斜部１１５ｂの上方に位置する。そのため、上方視で、後傾斜部１１５ｂは前傾斜部１１５ａに隠れ、傾斜開口部１１５ｃ、１１５ｄの目視が困難となっており、使用者の見栄えがよい。
【００８０】
上記構成によれば、仕切り１１０の上部に横断面略Ｃ字状に後方に突出する形状の袋状部１１１が左右方向に形成されることで、仕切り１１０の強度を高めることができる。また、使用者が仕切り１１０を野菜室１００内にセットする際に袋状部１１１を把持することができる。
【００８１】
また、上段容器１０２に果物等の貯蔵物が沢山入れられ上段容器１０２の底板が下方に撓んだ場合も、上段容器１０２の底板を受ける仕切り１１０の袋状部１１１に凹形状の水滴集水部１１２があるため、上段容器１０２の底板が袋状部１１１に当たることが抑制される。
【００８２】
また、凹形状の水滴集水部１１２は、真ん中が低いとともに、手前側より奥側が低く形成されている。そのため、結露水を水滴集水部１１２の中央部に集め、仕切り１１０の奥側の後側下段空間１０１Ａに滴下することができる。そのため、後側下段空間１０１Ａの湿度を保ち、後側下段空間１０１Ａに貯蔵される野菜、果物等の鮮度を保つことができる。
【００８３】
また、図１０に示すように、袋状部１１１に形成される第１・第２開口部１１４ａ、１１４ｂは、袋状部１１１の最奥側の後端面１１１ｋより下方手前側に開口されるので、使用者に目視されることが抑制される。また、使用者が袋状部１１１を把持した際、把持されることが抑制される。
【００８４】
さらに、使用者が後側下段空間１０１Ａにキャベツ等の葉物野菜を出し入れする際、第１・第２開口部１１４ａ、１１４ｂに貯蔵物がそれぞれ挟まることが抑制される。
【００８５】
また、仕切り１１０の袋状部１１１に第１・第２開口部１１４ａ、１１４ｂがあることにより、仕切り１１０手前の前側空間１０１Ｂと、仕切り１１０の後方の後側下段空間１０１Ａとに冷気が循環できる。
【００８６】
また、第１・第２開口部１１４ａ、１１４ｂが仕切り１１０の上部に位置することから、冷気が前側空間１０１Ｂ内および後側下段空間１０１Ａ内の野菜等の貯蔵物に直接当たることが抑制され、冷気を間接的に供給できる。そのため、前側空間１０１Ｂおよび後側下段空間１０１Ａ内の野菜等の乾燥を抑え、鮮度を良好に保つことができる。
【００８７】
また、仕切り１１０には、波状部１１５が形成されるので、樹脂製の仕切り１１０の強度を高めることができる。従って、仕切り１１０をガラス製から樹脂製にすることができる。そのため、ガラス製の仕切りを、樹脂製の仕切り１１０とすることで重量を約５０％削減できる。例えば、約１１００グラムのガラス製の仕切りを、約４９０グラムの樹脂製の仕切り１１０に重量を削減できる。
【００８８】
また、仕切り１１０をガラス製から樹脂製にすることで、コストを削減できる。
【００８９】
また、仕切り１１０の波状部１１５にそれぞれ傾斜開口部１１５ｃ、１１５ｄが開口されるので、前側空間１０１Ｂと後側下段空間１０１Ａとで冷気を循環することができる。従って、前側空間１０１Ｂの温度の上昇を抑制できる。さらに、一方の側部の傾斜開口部１１５ｃと、他方の側部の傾斜開口部１１５ｄとで冷気を通して循環させ、冷気を水平方向に、循環させることができる。
【００９０】
また、波状部１１５に開口される傾斜開口部１１５ｃ、１１５ｄは、前方から後方に向かって傾斜する後傾斜部１１５ｂに開口されている。
【００９１】
長さが短い後傾斜部１１５ｂは、長さが長く上方に位置する前傾斜部１１５ａに隠れ、使用者が目視することが困難となっている。そのため、使用者に後傾斜部１１５ｂの傾斜開口部１１５ｃ、１１５ｄが目視されることが抑制される。そのため、見栄えがよい。
【００９２】
また、長さが短い後傾斜部１１５ｂは、長さが長く上方に位置する前傾斜部１１５ａに上方が囲われることから、仕切り１１０の前方にある前側空間１０１Ｂに使用者が貯蔵物を出し入れする際に、貯蔵物が後傾斜部１１５ｂの傾斜開口部１１５ｃ、１１５ｄに挟まることが抑制される。同様に、仕切り１１０の後方にある後側下段空間１０１Ａに使用者が貯蔵物を出し入れする際に、貯蔵物が後傾斜部１１５ｂの傾斜開口部１１５ｃ、１１５ｄに挟まることが抑制される。
【００９３】
なお、前記実施形態では、奥側に肉をもつ横断面略Ｃの字形状の袋状部１１１を例示して説明したが、手前側に肉をもち、手前側に凸状を成す横断面略Ｃ字形状の袋状部としてもよい。
【００９４】
なお、前記実施形態で説明した構成は、本発明の一例を示したものであり、特許請求の範囲内で様々な具体的形態、変形形態が可能である。
【符号の説明】
【００９５】
１      冷蔵庫
１００  貯蔵室（野菜室）
１０１  下段容器（収納容器）
１０１Ｂ  前側空間（空間）
１０１Ａ  後側下段空間（空間）
１１０  仕切り部材（仕切り）
１１１  袋状部
１１２  水滴集水部
１１４ａ  第１開口部（第１通風孔）
１１４ｂ  第２開口部（第１通風孔）
１１５ａ  前傾斜部（第１板部）
１１５ｂ  後傾斜部（第２板部）
１１５ｃ、１１５ｄ  傾斜開口部（第２通風孔）
【図１】
2018004085.tif 000003
【図２】
2018004085.tif 000004
【図３】
2018004085.tif 000005
【図４】
2018004085.tif 000006
【図５】
2018004085.tif 000007
【図６】
2018004085.tif 000008
【図７】
2018004085.tif 000009
【図８】
2018004085.tif 000010
【図９】
2018004085.tif 000011
【図１０】
2018004085.tif 000012
【図１１】
2018004085.tif 000013
【図１２】
2018004085.tif 000014